(57)【要約】【課題】  所定重量或いは所定サイズを超える景品を懸吊することができる物品取得ゲーム機及びその物品展示具を提供する。【解決手段】  長尺部材３３ａの一端に取り付けられたターゲット部材３３ｂと、前記長尺部材３３ａを係止する係止部材３２と、物品を懸吊可能な第１状態から物品を懸吊不能な第２状態への移行が可能な懸吊部材３４とを備え、前記ターゲット部材３３ｂが所定の方向に牽引されたときに、前記懸吊部材３４が前記第１状態から前記第２状態に移行し、前記懸吊部材３４に懸吊された物品が落下する物品展示具において、前記懸吊部材３４の前記第１状態から前記第２状態への移行を阻止する付勢力を作用させる第１付勢手段Ｃを更に設ける。【選択図】  図７
2010187713.tif 000002
【特許請求の範囲】
【請求項１】
長尺部材の一端に取り付けられたターゲット部材と、
前記長尺部材を係止する係止部材と、
物品を懸吊可能な第１状態から物品を懸吊不能な第２状態への移行が可能な懸吊部材とを備え、
前記ターゲット部材が所定の方向に牽引されたときに、前記懸吊部材が前記第１状態から前記第２状態に移行し、前記懸吊部材に懸吊された物品が落下する物品展示具であって、
前記懸吊部材の前記第１状態から前記第２状態への移行を阻止する付勢力を作用させる第１付勢手段を更に備えることを特徴とする物品展示具。
【請求項２】
前記係止部材が、
相互に離間した開状態と、相互に当接又は近接した閉状態との間での移行が可能な１対の挟持片と、
前記挟持片を前記閉状態に付勢する第２付勢手段とを有し、
前記挟持片は、前記閉状態のときに前記１対の挟持片の間に所定サイズの前記長尺部材を係止可能な係止孔を形成する切欠を有し、
前記挟持片を相互に離間させる方向への外力が加わった際に、前記挟持片が離間して前記係止孔のサイズが拡大するように構成され、
前記長尺部材に牽引力が加えられた場合には、前記挟持片が相互に離間して前記係止孔のサイズが拡大し、前記長尺部材の牽引が可能となることを特徴とする請求項１に記載の物品展示具。
【請求項３】
前記懸吊部材を支持する支持部材を更に備え、
前記ターゲット部材が牽引されたときに、前記懸吊部材が前記支持部材による支持を失うことで前記懸吊部材が前記第１状態から前記第２状態に移行すること特徴とする請求項１又は２に記載の物品展示具。
【請求項４】
前記長尺部材の他端に取り付けられたトリガ部材を更に備え、
前記懸吊部材が、前記支持部材により支持される懸吊体と、前記トリガ部材を通過させないサイズ及び／又は形状を有する挿通孔であって、前記長尺部材の前記他端を所定長挿通させた挿通孔が形成された懸吊解除部材とから構成され、
前記トリガ部材が前記挿通孔に当接して前記懸吊解除部材を所定方向に移動させることにより、前記懸吊体が前記支持部材による支持を失って、前記懸吊部材が前記第１状態から前記第２状態に移行することを特徴とする請求項３に記載の物品展示具。
【請求項５】
前記長尺部材における前記係止部材による係止位置から前記挿通孔への挿通位置に至る部分が視認可能とされていることを特徴とする請求項４に記載の物品展示具。
【請求項６】
長尺部材の一端に取り付けられたターゲット部材と、
前記長尺部材を係止する係止部材と、
物品を懸吊可能な第１状態から物品を懸吊不能な第２状態への移行が可能な懸吊部材とを備え、
前記ターゲット部材が所定の方向に牽引されたときに、前記懸吊部材が前記第１状態から前記第２状態に移行し、前記懸吊部材に懸吊された物品が落下する物品展示具であって、
前記懸吊部材の前記第１状態から前記第２状態への移行を阻止する付勢力を作用させる第１付勢手段を更に備える物品展示具と、
前記ターゲットに対して牽引力を作用させることが可能な係止解除部材とを有することを特徴とする物品取得ゲーム機。
【発明の詳細な説明】
【技術分野】
【０００１】
本発明は、遊技者により移動操作される係止解除部材の牽引動作によりゲーム機内で懸吊されている物品（景品）が落下して払い出される物品取得ゲーム機に関し、より詳細には、所定重量或いは所定サイズを超える物品を懸吊することができる物品取得ゲーム機及びその物品展示具に関する。
【背景技術】
【０００２】
従来、アミューズメント施設に設置され、遊技者により移動操作される係止解除部材の下降動作によりゲーム機内に懸吊されている景品が落下して払い出される物品取得ゲーム機が知られている（例えば、特許文献１、２参照）。
【０００３】
上記特許文献１、２の物品取得ゲーム機では、ボールチェーンのボールを係止できるサイズの係止孔が形成された弾性材料製の係止片（「チップ」とも呼ばれる）が棚部材の円錐溝に嵌合され、当該係止片の係止孔で保持されたボールチェーンにより景品が懸吊されており、係止解除部材によってボールチェーンを下方に引っ張ることでボールチェーンのボールが順次係止孔を通過し、最後のボール（最上端のボール）が係止孔を抜けた場合には、当該ボールチェーンに懸吊された景品が落下して景品払出口から払い出されるようになっている。
【０００４】
しかしながら、上記方式の係止片では、係止孔での係止力が極く限られており、ある程度以上の重量の景品を懸吊した場合には、景品の重量だけで、或いは、極く弱い力でボールチェーンを下方に引っ張るだけで係止片による係止が解除されて景品が払い出されることになり、運用に耐えない状況となる。
【０００５】
また、所定サイズ（高さや幅など）を超える景品を懸吊した場合にも、当該景品のサイズによっては、上述の係止解除部材の移動時に、当該係止解除部材と景品とが接触してその両者或いはいずれか一方が損傷する等の問題が生じ得る。
【０００６】
また、懸吊する景品のサイズや形状等によっては、景品と係止解除部材とを係合させることが極めて容易となる場合があり、そのような場合には、景品の取得が容易になり過ぎる問題が生じ得る。
【０００７】
このように、特許文献１、２の物品取得ゲーム機では、懸吊できる景品の重量やサイズに制限があり、例えば、高さが１７（ｃｍ）、直径が６（ｃｍ）以下のサイズであり、重量が１００ｇ未満の景品であれば支障無く懸吊して物品取得ゲーム機を運用することができるが、これを越えるサイズ及び／又は重量の景品を懸吊すると上記のような問題を生じるため、「中型のぬいぐるみ」や「中型の人形」などの遊技者により魅力的な景品ではあるけれども上記のサイズ及び／又は重量を越える景品を懸吊して物品取得ゲーム機を運用することはできなかった。
【先行技術文献】
【特許文献】
【０００８】
【特許文献１】特許第３６７５５６６号公報
【特許文献２】特許第３８９９５４８号公報
【発明の開示】
【発明が解決しようとする課題】
【０００９】
本発明は、上記の問題に鑑みてなされたものであり、下記のいずれか一以上の目的を達成するものである。
【００１０】
即ち、本発明の目的は、遊技者により移動操作される係止解除部材の牽引動作により物品取得ゲーム機内に懸吊された物品（景品）が落下して払い出されるようにされた物品取得ゲーム機において、物品の重量のみによって物品が落下し、係止解除部材と物品とが接触してその両者或いはいずれか一方が損傷し、或いは、物品取得ゲーム機の設置者、運営者の意図を越えて物品取得が容易になるなどの不都合を生じることなく、所定重量及び／又は所定サイズを超える物品を懸吊することができる物品取得ゲーム機及び物品展示具を提供することにある。
【００１１】
本発明の他の目的は、遊技者により移動操作される係止解除部材の牽引動作により物品取得ゲーム機内に懸吊された物品が落下して払い出されるようにされた物品取得ゲーム機において、所定重量及び／又は所定サイズを超える物品を懸吊することができるとともに、所定重量及び／又は所定サイズ未満の小型の物品を懸吊した特許文献１、２の物品取得ゲーム機における物品取得の場合と同様の態様、難易度、及び／又は、ゲーム性をもって物品を取得することができる物品取得ゲーム機及び物品展示具を提供することにある。
【００１２】
本発明の更に他の目的は、遊技者により移動操作される係止解除部材の牽引動作により物品取得ゲーム機内に懸吊された物品が落下して払い出されるようにされた物品取得ゲーム機において、ゲーム機に加えられた振動などによって、ゲーム機内に懸吊された物品が誤って払い出されるなどの不都合を防止できる物品取得ゲーム機及び物品展示具を提供することにある。
【００１３】
本発明の更に他の目的は、遊技者により移動操作される係止解除部材の牽引動作により物品取得ゲーム機内に懸吊された物品が落下して払い出されるようにされた物品取得ゲーム機において、景品を装着する際の作業性等を向上させ、運営者の作業負担を軽減することができる物品取得ゲーム機及び物品展示具を提供することにある。
【００１４】
本発明の更に他の目的は、遊技者により移動操作される係止解除部材の牽引動作により物品取得ゲーム機内に懸吊された物品が落下して払い出されるようにされた物品取得ゲーム機において、物品取得の難易度の調整を容易に行うことが可能であり、及び／又は、物品取得の難易度を目で見て判断することが可能な物品取得ゲーム機及び物品展示具を提供することにある。
【課題を解決するための手段】
【００１５】
本発明は、上記課題を解決したものであり、長尺部材の一端に取り付けられたターゲット部材と、前記長尺部材を係止する係止部材と、物品を懸吊可能な第１状態から物品を懸吊不能な第２状態への移行が可能な懸吊部材とを備え、前記ターゲット部材が所定の方向に牽引されたときに、前記懸吊部材が前記第１状態から前記第２状態に移行し、前記懸吊部材に懸吊された物品が落下する物品展示具であって、前記懸吊部材の前記第１状態から前記第２状態への移行を阻止する付勢力を作用させる第１付勢手段を更に備えることを特徴とする物品展示具（請求項１）又は、当該物品展示具と、当該物品展示具が備えるターゲットに対して牽引力を作用させることが可能な係止解除部材とを有することを特徴とする物品取得ゲーム機（請求項６）である。
【００１６】
本発明では、係止部材に係止した長尺部材に物品（景品）を懸吊するのではなく、係止部材には係止解除部材などによる牽引の目標となるターゲット部材が取り付けられた長尺部材が係止され、物品は係止部材とは別個の懸吊部材に懸吊する構成とされている。
【００１７】
従って、係止部材における係止力の高低とは無関係に、懸吊部材における懸吊可能重量を自由に設定することが可能であり、そのために、従来懸吊することができなかった所定重量以上の物品を懸吊することができる物品展示具及び物品取得ゲーム機を実現することが可能である。
【００１８】
また、係止部材と懸吊部材が別個の部材とされているために、係止解除部材による牽引可能な位置に長尺部材及び／又はターゲット部材を配置する一方で、係止解除部材が接近、当接等できない位置において物品を懸吊することが可能となる。そのために、係止解除部材と物品とが接触してその両者又はいずれか一方が損傷し、或いは、物品取得ゲーム機の設置者、運営者の意図を越えて物品取得が容易になるなどの不都合を生じることなく、従来よりもサイズの大きい物品を懸吊できる物品展示具及び物品取得ゲーム機を実現することが可能である。
【００１９】
更に本発明の物品展示具は、懸吊部材の第１状態から第２状態への移行を阻止する付勢力を作用させる第１付勢手段を有しているため、物品展示具又は物品取得ゲーム機に振動が加えられるなどによって懸吊された物品が誤って払い出されるなどの不都合を防止することが可能である。また、第２状態への移行を阻止する付勢力が作用する結果、物品の懸吊状態が安定することとなり、物品の装着等に係る作業性が向上し、運営者の作業負担を軽減することが可能となる。
【００２０】
本発明では、前記係止部材が、相互に離間した開状態と、相互に当接又は近接した閉状態との間での移行が可能な１対の挟持片と、前記挟持片を前記閉状態に付勢する第２付勢手段とを有し、前記挟持片は、前記閉状態のときに前記１対の挟持片の間に所定サイズの前記長尺部材を係止可能な係止孔を形成する切欠を有し、前記挟持片を相互に離間させる方向への外力が加わった際に、前記挟持片が離間して前記係止孔のサイズが拡大するように構成され、前記長尺部材に牽引力が加えられた場合には、前記挟持片が相互に離間して前記係止孔のサイズが拡大し、前記長尺部材の牽引が可能となること（請求項２）が好ましい。
【００２１】
本発明では、ターゲット部材を取り付けられた長尺部材が所定サイズの係止孔により係止され、ターゲット部材を牽引することで懸吊部材に懸吊された物品が落下するよう構成されているため、特許文献１、２の物品取得ゲーム機の場合と同様の長尺部材（ボールチェーン）を使用することにより、物品取得の態様、難易度、及び／又は、ゲーム性を特許文献１、２の物品取得ゲーム機と同様のものとすることが可能である。
【００２２】
更に本発明では、長尺部材に牽引力が加えられた場合には、第２付勢手段による付勢力に抗して挟持片が相互に離間し、係止孔のサイズを拡大することで長尺部材の牽引（移動）が可能となり、長尺部材への牽引力が無くなると、第２付勢手段による付勢力によって係止孔のサイズは当初のサイズ（挟持片が閉状態のときのサイズ）に復帰することになる。
【００２３】
このように、挟持片が閉状態のときの係止孔のサイズは第２付勢手段の付勢力によって一定に維持されるため、使用による係止孔の係止力の低下をより小さくすることが可能であり、より長期間に渡って係止部材を取り替えることなく使用することが可能である。
【００２４】
なお、本発明では、長尺部材への牽引力によって挟持片を開方向に付勢する力が発生することが必要であることから、本発明の物品展示具に使用する長尺部材としては、挟持片が閉状態のときの係止孔よりも大きい外径を有する複数のボールと、ボールを連結するボールよりも小径のリンク部により構成されるボールチェーンや、挟持片が閉状態のときの係止孔よりも大きい外径を有する長尺部材であって、外周からの締付力により縮径可能な長尺部材を好適に使用することができる。
【００２５】
本発明では、前記懸吊部材を支持する支持部材を更に備え、前記ターゲット部材が牽引されたときに、前記懸吊部材が前記支持部材による支持を失うことで前記懸吊部材が前記第１状態から前記第２状態に移行すること（請求項３）が好ましく、これにより、懸吊部材の安定な支持と、懸吊部材の第１状態から第２状態への安定な移行とを実現することが可能である。
【００２６】
本発明では、前記長尺部材の他端に取り付けられたトリガ部材を更に備え、前記懸吊部材が、前記支持部材により支持される懸吊体と、前記トリガ部材を通過させないサイズ及び／又は形状を有する挿通孔であって、前記長尺部材の前記他端を所定長挿通させた挿通孔が形成された懸吊解除部材とから構成され、前記トリガ部材が前記挿通孔に当接して前記懸吊解除部材を所定方向に移動させることにより、前記懸吊体が前記支持部材による支持を失って、前記懸吊部材が前記第１状態から前記第２状態に移行すること（請求項４）が好ましい。
【００２７】
本発明では、挿通孔への長尺部材の挿通長（挿通孔からトリガ部材までの距離）が長い場合には、その長さだけ長尺部材を牽引しなければ物品は落下しないし、逆に挿通孔からトリガ部材までの距離が短ければ、物品を落下させるために長尺部材を牽引しなければならない距離も短くなる。
【００２８】
従って、挿通孔からトリガ部材までの距離によって容易に物品取得の容易性を調節することが可能である。また、遊技者は、挿通孔からトリガ部材までの距離を見るだけで物品取得の難易性を把握することが可能であり、或いは、挿通孔からトリガ部材までの距離を調節することで、遊技者をゲームに誘引する等の効果を得ることも可能である。
【００２９】
本発明では、前記長尺部材における前記係止部材による係止位置から前記挿通孔（又は前記トリガ部材）への挿通位置に至る部分が視認可能とされていること（請求項５）が好ましい。
【００３０】
かかる発明では、遊技者は、係止部材から前記挿通孔（又はトリガ部材）までの長尺部材における弛みの有無などを容易に確認することが可能であるため、遊技者を欺く仕掛けがないことを遊技者にアピールし、遊技者に安心感、信頼感を与えることが可能である。
【００３１】
本発明の物品展示具は、遊技者により移動操作される係止解除部材によるターゲット部材の牽引によりゲーム機内に懸吊される物品が落下して所定の物品払出口から払い出される物品取得ゲーム機に特に好適に適用することが可能である。
【図面の簡単な説明】
【００３２】
【図１】本発明の一実施形態に係る物品取得ゲーム機の構成を示す説明図
【図２】取付壁及びその取付壁に取り付けられる棚部材の構成を示す説明図
【図３】棚部材の外観構成を示す説明図
【図４】第１物品展示具の構成を示す説明図
【図５】係止部材の構成を示す説明図
【図６】小型景品がフック部材に懸吊されている第１物品展示具が棚部材に装着された一態様を示す説明図
【図７】第２物品展示具の外観構成及び一部切り欠きの構成を示す説明図
【図８】第２物品展示具が棚部材に装着された一態様を示す説明図
【図９】変形形態の第２物品展示具の構成を示す説明図
【図１０】本実施形態に係る係止解除部材の構成を示す説明図
【図１１】物品取得ゲーム機におけるシステム構成を示す説明図
【図１２】物品取得ゲーム機において実行される処理の流れを示す説明図
【図１３】１つの棚部材に第１物品展示具及び第２物品展示具の両者を装着した様子を示す説明図
【図１４】フック部材の詳細な構成及びそのフック部材に対する小型景品の特殊取付の態様を示す説明図
【図１５】変形形態の第１物品展示具及びフック部材の構成を示す説明図
【図１６】変形形態のフック部材の構成を示す説明図
【図１７】変形形態の第２物品展示具の構成を示す説明図
【図１８】変形形態の第２物品展示具の構成を示す説明図
【図１９】変形形態の第２物品展示具の構成を示す説明図
【図２０】変形形態の第２物品展示具の構成を示す説明図
【発明を実施するための形態】
【００３３】
以下、本発明の好ましい実施形態を添付図面に基づいて説明する。
【００３４】
図１は、本発明を適用した物品取得ゲーム機１の外観構成を示す図である。この物品取得ゲーム機１は、後述の主制御基板８０などが収容されるゲーム機本体部２と、小型景品Ｇ１や中型景品Ｇ２などの種々の景品（「プライズ」ともいう）が複数懸吊展示された物品取得ゲームを実施するためのゲーム空間Ｒが形成される景品室３とを主体に構成される。
【００３５】
なお、本実施形態の物品取得ゲーム機１では、例えば、上記小型景品Ｇ１には、高さが１７（ｃｍ）で直径が６（ｃｍ）程度のサイズ内で且つ重量が１００ｇ未満の景品が採用され、具体的には、上記景品としては、例えば、包装／否包装の「小型のぬいぐるみ」や「小型の人形」などに備え付けられたボールチェーン、リング、紐等、或いは、包装台紙などに形成された孔などを介して懸吊されるキーホルダー式の景品がある。
【００３６】
また、上記中型景品Ｇ２には、高さが２５（ｃｍ）で幅が１５（ｃｍ）で奥行きが１５（ｃｍ）程度のサイズ内で且つ重量が１００ｇ以上の箱型景品や、高さが３５（ｃｍ）で幅が３０（ｃｍ）で奥行きが１５（ｃｍ）程度のサイズ内で且つ重量が１００ｇ以上のぬいぐるみ景品などが採用され、具体的には、上記景品としては、例えば、包装／否包装の「中型のぬいぐるみ」や「中型の人形」などに備え付けられたボールチェーンや紐、或いは、包装箱などに形成された孔などを介して懸吊される据え置き式或いは抱っこ式の景品がある。
【００３７】
ここで、景品室３の室壁は、例えば、背面壁３ａ及び左右壁３ｂが不透明な金属などの板部材で形成され、正面壁３ｃが、外部から景品室３内の小型景品Ｇ１、中型景品Ｇ２を視認できるように透明なアクリル或いはガラスなどの板部材で形成された錠前部材付きの２つの引き戸で形成されている。
【００３８】
また、景品室３の内部には、小型景品Ｇ１、中型景品Ｇ２が懸吊される複数の棚部材４（図２参照）と、それら複数の棚部材４が取り付けられる取付壁５（１Ｐ及び２Ｐ用別にそれぞれ１つずつの計２つ）（図２参照）と、棚部材４から景品を落下させるために用いられる係止解除部材６と、落下した小型景品Ｇ１、中型景品Ｇ２を室内から外部に排出させるための景品落下口７と、ゲーム空間Ｒをライトアップさせるための蛍光灯などの照明装置８とが備えられている。
【００３９】
なお、図２に示されるように、１つの取付壁５には、横一列に最大３つの棚部材４が配置でき、更に、縦方向において任意の高さ位置に、且つ、複数の棚部材４を配置できるように、棚部材４の背面側に形成された係合片４３を係合して棚部材４を当該取付壁５に係止するための係合孔５１が複数形成されている。
【００４０】
これにより、当該物品取得ゲーム機１が導入されるアミューズメント施設においては、小型景品Ｇ１、中型景品Ｇ２をその大きさに関わらず種々のレイアウトにより配置することが可能である。例えば、図２に示されるように、左側（１Ｐ側）の取付壁５には、小型景品Ｇ１が懸吊された棚部材４のみを配置し、他方、右側（２Ｐ側）の取付壁５には、中型景品Ｇ２が懸吊された棚部材４のみを配置することができる。左側（１Ｐ側）の取付壁５は小型景品Ｇ１のみを懸吊するため、中型景品Ｇ２のみを配置した右側（２Ｐ側）の取付壁５に比して各棚部材４の縦方向の間隔が狭くなるように配置されている。また、図示していないが、一つの取付壁５において棚部材４の配置間隔を変えることで、小型景品Ｇ１が懸吊された棚部材４と、中型景品Ｇ２が懸吊された棚部材４の両者を混在させた状態で配置することもできるし、更には、一つの取付壁５において、各棚部材４が斜めに位置するように配置することもできる。
【００４１】
ゲーム機本体部２は、その正面側に、遊技者からの操作入力を受け付け、係止解除部材６をゲーム空間Ｒ内で移動操作するための上昇ボタン９ａ、横走行ボタン９ｂを備えた操作パネル９と、ゲーム料金を受け入れるための硬貨投入口１０と、景品落下口７と連通した景品払出口１１と、ＢＧＭなどのゲーム音声を出力するためのスピーカ１２とを有している。また、ゲーム機本体部２の収容扉１３内には係止解除部材６の動作条件を設定し、難易度の調整を行うための不図示の設定パネルが収容されている。
【００４２】
なお、図示の例では、二人の遊技者が同時にプレイできるように、係止解除部材６、景品落下口７、操作パネル９、硬貨投入口１０、景品払出口１１等が左右にそれぞれ２組設けられている形態を示しているが、一人用或いは三人以上用の物品取得ゲーム機とする場合は、これらを１組又は３組以上としても構わない。
【００４３】
図３は、図２に示される棚部材４の構成を示す説明図であり、図３（ａ）、（ｃ）には、それぞれ、棚部材４を上方、下方から見た斜視図が示されており、図３（ｂ）には、第１装着部４１の拡大斜視図が示されている。
【００４４】
図３（ａ）、（ｃ）に示されるように、棚部材４は、小型景品Ｇ１を懸吊展示する後述の第１物品展示具２０（図４参照）が着脱自在に装着される複数の第１装着部４１と、中型景品Ｇ２を懸吊展示する後述の第２物品展示具３０（図７参照）が着脱自在に装着される複数の第２装着部４２と、取付壁５に形成された係合孔５１と係合して当該棚部材４を取付壁５に取り付けるための係合片４３と、ストック用或いは展示用の小型景品Ｇ１、中型景品Ｇ２等を載置するためのトレー部４４とを主体に形成され、第１装着部４１に連設された前方上面Ｆ１が前方に向って下向きに傾斜した態様の棚状部材である。なお、棚部材４は、例えば、合成樹脂などで成型することができる。
【００４５】
そして図３（ｂ）に示されるように、第１装着部４１は、第１物品展示具２０の係止部材２１を嵌合収容するための構造が形成された収容空間４１ｄを有している。即ち、収容空間４１ｄには、係止部材２１の係合片２１４を嵌合して横（左右）方向の移動を規制する規制溝４１ａと、係合爪２１５が嵌装される嵌装孔４１ｂと、規制溝２１２に嵌合して係止部材２１の縦（上下）方向の移動を規制する係合片４１ｃなどが形成されている。更に、収容空間４１ｄの斜め上方には、本発明の長尺部材であるボールチェーン２２ｄの上端側を収容して位置決めするチェーン溝４１ｅが形成されている。
【００４６】
第２装着部４２は、棚部材４の裏面側で縦（上下）方向に垂設された係合板４５に形成され、後述の第２物品展示具３０の係合爪３１ａが嵌装される嵌装孔４２ａと、棚部材４の背面板４６に穿設され、第２物品展示具３０の懸吊体３５の解放端側の所定長を挿通支持する支持孔４２ｂなどから構成される。
【００４７】
本実施形態の棚部材４には、図２に示す態様のスロープ部材ＳＬを装着することも可能である。スロープ部材ＳＬは、トレー部４４の空間を覆い隠す態様で着脱自在に装着される前方に向かって下降する滑り台状の傾斜面Ｆ２が上部に設けられた透明又は不透明な部材である。このスロープ部材ＳＬを透明な部材で形成することによりトレー部４４に載置された景品をゲーム機１の外部から視認可能に展示することができる。
【００４８】
上記スロープ部材ＳＬを装着した棚部材４であれば、上方の棚部材４から落下した小型景品Ｇ１や中型景品Ｇ２が下方の棚部材４のトレー部４４に入り込むのを防止し、落下した景品を前方上面Ｆ１及び傾斜面Ｆ２で滑らせて景品落下口７に落下させることができる。
【００４９】
図４は、第１物品展示具２０の構成を示す説明図であり、図４（ａ）には、後述の係止部材２１によってフック部材２２に設けられたボールチェーン２２ｄが係止されている状態の第１物品展示具２０が、図４（ｂ）には、係止部材２１によるボールチェーン２２ｄの係止が解除された状態の第１物品展示具２０が示されている。
【００５０】
図４に示されるように、第１物品展示具２０は、第１装着部４１に着脱自在に装着されてボールチェーン２２ｄを任意の位置で係止することが可能な係止部材２１と、小型景品Ｇ１を懸吊できるフック部材２２と、係止部材２１とフック部材２２とを連索する繊維や軟質プラスチックなどで形成された紐状の連索部材２３とを主体に構成される。
【００５１】
ここで、フック部材２２は、本体壁部２２ａと、その本体壁部２２ａの前方側に突起する鉤状に折り曲げられた円柱形状のフック部２２ｂと、本体壁部２２ａの上方側に形成され、係止解除部材６のフォーク部材６１が係合し得る形状、サイズを有する円盤状のターゲット部材２２ｃと、ターゲット部材２２ｃに一端が固定され、その上端側を上方に突出した態様で係止部材２１の係止孔Ｈ１に挿通されて係止されるボールチェーン２２ｄとを主体に構成されている。なお、このフック部材２２は、例えば、合成樹脂などで成型することができる。
【００５２】
図５は、係止部材２１の構成を示す説明図であり、図５（ａ）、（ｂ）には、係止部材２１を上方、下方から見た場合のそれぞれの分解斜視図が、図５（ｃ）、（ｄ）には、挟持片２１ａ、２１ｂが互いに接近（又は当接）した閉状態、及び、挟持片２１ａ、２１ｂが離間した開状態の係止部材２１を上方から見た場合の平面図が示されている。
【００５３】
図５（ａ）、（ｂ）に示されるように、係止部材２１は、ヒンジ部Ｈｇを基点として開放口Ｏ側を離間させる態様で選択バサミ式に開閉自在とされた左右一対の挟持片２１ａ、２１ｂと、挟持片２１ａ、２１ｂを相互に接近させる閉方向に付勢する金属製バネなどの付勢部材２１ｃとを主体に構成されている。なお、左右一対の挟持片２１ａ、２１ｂは、例えば、合成樹脂などで成型することができる。
【００５４】
上記挟持片２１ａは、挟持片２１ｂに向かい合う辺上に切欠２１１を有しており、上記挟持片２１ｂは、挟持片２１ａに向かい合う辺上に切欠（不図示）を有しており、挟持片２１ａ、２１ｂが相互に接近した閉状態（図５（ｃ））では、上記２つの切欠により所定サイズの係止孔Ｈ１が形成されるようになっている。
【００５５】
係止孔Ｈ１は、挟持片２１ａ、２１ｂが相互に接近した閉状態（図５（ｃ））において、ボールチェーン２２ｄのボールよりも小さいサイズであり、開放口Ｏ側からボールチェーン２２ｄを挿入し、ボールを係止孔Ｈ１に係止させる態様でボールチェーン２２ｄを保持することが可能である。
【００５６】
また、ボールチェーン２２ｄに対して係止解除部材６などによる下方向への牽引力が作用すると、係止孔Ｈ１のサイズより大きいボールが通過しようとするために挟持片２１ａ、２１ｂを相互に離間させる方向の力が作用することとなり、これにより係止部材２１は、図５（ｄ）に示すように、挟持片２１ａ、２１ｂが相互に離間した開状態となる。
【００５７】
開状態では、係止孔Ｈ１のサイズが閉状態のときよりも大きくなるために、ボールは容易に係止孔Ｈ１を通過できることになる。従って、ボールチェーン２２ｄに下方向への牽引力を掛け続けることで、ボールチェーン２２ｄの全体を係止孔Ｈ１から引き抜き、係止部材２１による係止を解除することが可能である。
【００５８】
なお、挟持片２１ａ、２１ｂの上面には、係止孔Ｈ１から上方に突出したボールチェーン２２ｄの回転や曲げを許容するようすり鉢状の形状が与えられている。
【００５９】
また、挟持片２１ａ、２１ｂには、棚部材４の係合片４１ｃが嵌合する規制溝２１２、付勢部材２１ｃが嵌合する嵌合溝２１３、棚部材４の規制溝４１ａに嵌合する係合片２１４、棚部材４の嵌装孔４１ｂに嵌装される係合爪２１５が形成されており、挟持片２１ｂの上面には、係止孔Ｈ１から上方に突出したボールチェーン２２ｄを傾斜した状態で固定乃至保持し、チェーン溝４１ｅに案内するための傾斜保持部材２１６が突設されている。
【００６０】
なお、上記ボールチェーン２２ｄとしては、一般的に良く知られている金属製や樹脂製のボールチェーンを使用することができるのはもちろんのこと、それ以外の形状を有する長尺状の部材も使用することができる。即ち、一対の挟持片が閉状態のときの係止孔Ｈ１よりも大きい外径を有する複数の凸部（球、円柱や四角柱などの立体状の凸部材）と、隣接する２つの凸部間に配置され凸部よりも小さい外径を有する凹部（複数の凸部が取り付けられる長尺部材の一部分や、２つの凸部間を連結する円柱状のリンクなどの凹部材）などから構成されるボールチェーン状部材も使用することができる。
【００６１】
また、上述のボールチェーン状部材の他にも、挟持片が閉状態のときの係止孔よりも大きい外径を有する長尺部材であって、外周からの締付力により縮径可能な長尺部材を使用することもできる。
【００６２】
図６は、上述の第１物品展示具２０が棚部材４に装着された一態様を示す説明図である。
【００６３】
図示の例では、４つの第１物品展示具２０の係止部材２１が棚部材４における４カ所の第１装着部４１に装着され、左側の３つの第１物品展示具２０では、それぞれのボールチェーン２２ｄがそれぞれの係止部材２１で係止され、それぞれのフック部材２２で小型景品（小型の「くまのぬいぐるみ」）Ｇ１を懸吊しており、他方、右端の第１物品展示具２０では、遊技者により操作された係止解除部材６などにより係止部材２１によるボールチェーン２２ｄの係止が解除され、フック部材２２に懸吊されていた小型景品（小型の「くまのぬいぐるみ」）Ｇ１が落下した様子を示している。
【００６４】
以上のように、上記第１物品展示具２０では、ボールチェーン２２ｄを係止する係止孔Ｈ１のサイズが、付勢部材２１ｃの付勢力により維持されるように構成されているため、長期間の使用の間における係止孔Ｈ１における係止力の低下をより小さくすることが可能であり、長期間に渡って交換することなく使用することが可能な物品展示具を提供することが可能である。また、想定以上の長期間に渡り使用をしたことで係止力が低下した場合であっても、第１物品展示具２０全てを交換するのではなく付勢部材２１ｃを新しいものに交換することで、新品と同程度の係止力を取り戻すことができる。このため運用に係るコストを最小限に抑えることが可能となる。
【００６５】
また、上記第１物品展示具２０では、鉤状のフック部２２ｂを有するために、金属製のリングＲ、リング状にされたボールチェーンや紐などを取り付けられた景品、或いは、孔Ｈが形成された箱等に包装された景品等を簡単に懸吊することが可能である。
【００６６】
また、アイキャッチなどを考慮して好ましいと考えられる方向に景品を向けて吊り下げた状態で、ボールチェーン２２ｄを傾斜させて傾斜保持部材２１６において保持することにより、或いは更に、ボールチェーン２２ｄをチェーン溝４１ｅに収容することにより、景品の上記方向を固定することが可能であり、係止解除部材６が景品に当接する程度では、景品の方向が変わってしまわないようにすることも可能である。また、上記のようにボールチェーン２２ｄの上端側を傾斜した状態で保持し、或いは更に、チェーン溝４１ｅに収容することにより、上方の棚部材４から落下した景品が下方の棚部材４のボールチェーン２２ｄに引っ掛かって払い出されないなどの不都合を防止するとの効果も達成することができる。
【００６７】
また、上記第１物品展示具２０では、係止部材２１はその係合片２１４や係合爪２１５等によって棚部材４に装着された状態にあり、フック部材２２は連索部材２３により係止部材２１と連索されている。従って、係止解除部材６の操作等によって景品が落下した場合でも、係止部材２１及びフック部材２２が景品とともに落下、散乱等することが防止され、従って、繰り返し再利用可能な第１物品展示具２０を提供することが可能である。
【００６８】
そして、第１物品展示具２０が繰り返し再利用可能であるが故に、従来の使い捨て要素の高かったフック部２０２と比べて、フック部の長さを長くしたり、フック部の径を太くして耐久性を上げるなど、より高級で係止が外れ難いフック部２２ｂを設けることが可能であり、景品がフック部２２ｂから外れて落下しないようにするために従来必要であった景品をフック部２２ｂに接着テープ（ＡＴ）で留める作業を不要とすることが可能である。
【００６９】
なお、上記では、フック部材２２に複数のボールと、ボール同士を連結するボールよりも外形の小さいリンク部材により構成されるボールチェーン２２ｄが取り付けられている場合を例として示したが、これに替えて、挟持片２１ａ、２１ｂが閉状態のときの係止孔Ｈ１よりも大きい外径を有する長尺部材であって、外周からの外力により縮径可能な樹脂繊維等の材料で形成された長尺部材を使用することも可能である。
【００７０】
図７は、第２物品展示具３０の構成を示す説明図であり、図７（ａ）〜（ｃ）には、それぞれ、第２物品展示具３０を上方から見た斜視図が示されており、特に、図７（ａ）には、懸吊部材３４が景品を懸吊展示することが可能な第１状態にある第２物品展示部３０が示されており、図７（ｂ）には、図７（ａ）の構成の一部が切り欠いた状態が示されており、図７（ｃ）には、懸吊部材３４が景品を懸吊不能な第２状態にある物品展示部３０が示されている。
【００７１】
図示されるように、第２物品展示具３０は、第２装着部４２の嵌装孔４２ａに着脱自在に装着される係合爪３１ａと、棚部材４の収容空間４１ｄに収容嵌合される嵌合片３１ｂとが形成され、棚部材４の裏面側で固定される本体部３１と、その本体部３１の前方側に着脱自在に取り付けられて後述の駆動部材３３を挟持する係止部材３２と、係止解除部材６などによる牽引を受ける駆動部材３３と、景品を懸吊展示するための懸吊部材３４とを主体に構成される。
【００７２】
ここで、本体部３１は、左右一対の筐体片３１１、３１２を主体に構成される。そして、この本体部３１には、左右一対の筐体片３１１、３１２を組み立てた場合の前方側に、上述の第１装着部４１における規制溝４１ａ、嵌装孔４１ｂ、係合片４１ｃ、収容空間４１ｄと同様の構成を有する装着部３１３が形成されるとともに、その後方側には、懸吊解除部材３６を回動可能に支持する回動軸Ｓ１が一体的に形成され、更に、その内部には、後述の駆動部材３３の長尺部材３３ａを案内支持する円弧状の案内面３１４｛図７（ｂ）参照｝が形成されている。
【００７３】
係止部材３２は、上述の第１物品展示具２０における係止部材２１と同一の構成を有するものであり、本体部３１前方の装着部３１３に装着固定されるとともに、係止部材３２を構成する開閉自在の一対の挟持片の間に所定サイズの係止孔が形成され、当該係止孔において長尺部材３３ａを係止するものである。
【００７４】
駆動部材３３は、遊技者により操作される係止解除部材６によって駆動される部材であり、長尺部材３３ａと、その長尺部材３３ａの一端側に取り付けられたターゲット部材３３ｂと、長尺部材３３ａの他端側に取り付けられたトリガ部材３３ｃとを主体に構成されている。ターゲット部材３３ｂには、係止解除部材６のフォーク部材６１と係合し、フォーク部材６１による下方への牽引を受け得るサイズ及び／又は形状が付与され、トリガ部材３３ｃには、後述の懸吊解除部材３６に形成された挿通孔Ｈ２を通過できないサイズ及び／又は形状が付与される。そして、上記長尺部材３３ａは、中間の適宜の位置が上記係止部材３２の係止孔に係止され、その一端は当該係止孔から垂下され、他端は案内面３１４の上面を経て挿通孔Ｈ２に導かれ、当該挿通孔Ｈ２からトリガ部材３３ｃを垂下させている。
【００７５】
長尺部材３３ａの係止部材３２から案内面３１４の上部を経て挿通孔Ｈ２に至る部分、或いは更にトリガ部材３３ｃに至る部分は、ゲーム機１の外部から遊技者が視認できるように、本体部３１、棚部材４等を透明な部材で構成することが好ましい。
【００７６】
懸吊部材３４は、懸吊体３５と懸吊解除部材３６から構成されている。
【００７７】
懸吊体３５は、一端を棚部材４の支持孔４２ｂに挿通させて支持孔４２ｂに支持され、他端に設けられた回動軸Ｓ２が懸吊解除部材３６に回動自在に支持される棒状の部材である。
【００７８】
懸吊解除部材３６は、その上端が本体部３１の後方側に設けられた回動軸Ｓ１で回動自在に軸支されたＬ字状の部材であり、その前方には、長尺部材３３ａは余裕をもって挿通することができるがトリガ部材３３ｃは通過できないサイズ及び／又は形状の挿通孔Ｈ２が形成され、その後方には、懸吊体３５の回動軸Ｓ２を軸支する軸支孔Ｈ３が形成されている。
【００７９】
なお、本体部３１、ターゲット部材３３ｂ、トリガ部材３３ｃ、懸吊体３５、懸吊解除部材３６などは、例えば、合成樹脂などで成型することができる。また、長尺部材３３ａには、係止部材３２の挟持片が閉状態のとき（図５（ｃ）参照）の係止孔のサイズより大きい外径寸法を有し、外周からの外力が作用することでその外形寸法を縮小する樹脂繊維等の適宜の材料で形成された紐状の部材が使用されている。
【００８０】
従って、ターゲット部材３３ｂに下方向への牽引力が作用しない場合には、長尺部材３３ａを係止部材３２の係止孔で締め付ける態様で係止し、ターゲット部材３３ｂに下方向への牽引力が作用した場合には、係止孔よりも大きい外径の長尺部材３３ａが係止孔を通過しようとするために、係止部材３２を構成する１対の挟持片が離間して係止孔のサイズが大きくなり（図５（ｄ）参照）、長尺部材３３ａを下方に引き抜いていくことが可能である。
【００８１】
図８は、上述の第２物品展示具３０の棚部材４における装着態様及び動作態様を示す説明図である。
【００８２】
図８（ａ）では、第２物品展示具３０の懸吊部材３４は、懸吊体３５の開放端が棚部材４の支持孔４２ｂにより概略水平に支持された第１状態にあり、中型景品（中型の人形等が入った箱）Ｇ２などの景品を懸吊展示することが可能である。
【００８３】
この状態において遊技者が操作する係止解除部材６などによりターゲット部材３３ｂを下方に牽引すると、長尺部材３３ａが上記態様で係止部材３２から引き抜かれ、他端側のトリガ部材３３ｃが上昇していくことになる。
【００８４】
そして、トリガ部材３３ｃが懸吊解除部材３６の挿通孔Ｈ２に当接して更に上昇した場合には、懸吊解除部材３６は回動軸Ｓ１の周りに回転して懸吊体３５を前方側に牽引し、やがて懸吊体３５が支持孔４２ｂから抜けると懸吊体３５は支持孔４２ｂによる支持を失って、回動軸Ｓ２の周りで下方に回転する。これにより懸吊部材３４は景品を懸吊不能な第２状態（図８（ｂ））に移行する。
【００８５】
なお、本実施形態では、挟持片が閉状態のときの係止孔よりも大きい外径を有し、外周からの外力により縮径可能な長尺部材３３ａが使用される場合を例として示したが、これに代えて、第１物品展示具２０におけるボールチェーン２２ｄと同様のボールチェーンを使用することも可能である。或いは、ボールチェーン以外の形状を有する長尺状の部材も使用することができる。即ち、一対の挟持片が閉状態のときの係止孔Ｈ１よりも大きい外径を有する複数の凸部（球、円柱や四角柱などの立体状の凸部材）と、隣接する２つの凸部間に配置され凸部よりも小さい外径を有する凹部（複数の凸部が取り付けられる長尺部材の一部分や、２つの凸部間を連結する円柱状のリンクなどの凹部材）などから構成されるボールチェーン状部材も使用することができる。
【００８６】
上記第２物品展示具３０では、係止解除部材６による牽引の対象となる駆動部材３３（ターゲット部材３３ｂ）を係止する係止部材３２と、物品を懸吊する懸吊部材３４（懸吊体３５）とがそれぞれ別個の部材とされている。従って、係止部材３２の係止力の大小とは無関係に懸吊部材３４において懸吊可能な景品の重量を自由に設定することが可能であり、それ故に、第２物品展示具３０では第１物品展示具２０に懸吊出来ない重量の大きい景品を懸吊することが可能である。また、係止部材３２と懸吊部材３４（懸吊体３５）が別部材であるために、係止部材３２及びこれに係止される長尺部材３３ａ（及びターゲット部材３３ｂ）を係止解除部材６のフォーク部材６１が接触可能な位置（ガイドレール７２やガイドポール８１から近い位置）に配置する一方で、懸吊体３５（及び景品）を係止解除部材６のフォーク部材６１が接触できない位置（ガイドレール７２やガイドポール８１から遠い位置）に配置することが可能である。それ故に、第２物品展示具３０では第１物品展示具２０に懸吊できない程度にサイズの大きい景品を懸吊することが可能である。
【００８７】
加えて、第２物品展示具３０は、第１物品展示具２０の係止部材２１と同構成の係止部材３２により長尺部材３３ａを係止する構成であるため、第２物品展示具３０における長尺部材３３ａの係止解除のための操作の態様、難易度、及び／又は、ゲーム性を第１物品展示具２０におけるボールチェーン２２ｄの係止解除のためのそれと同様のものとすることが可能である。
【００８８】
図９は、第２物品展示具３０の変形形態に係る第２物品展示具３０Ａを示す一部切欠側面図であり、第２物品展示具３０と同様の部材には同様の符号が付されている。
【００８９】
図示のように、第２物品展示具３０Ａは、回動軸Ｓ１に懸吊解除部材３６を後方（図中の矢印方向）に向けて付勢する付勢部材Ｃを追加的に有する点を除いて第２物品展示具３０と実質的に同様の構成を有している。なお、図では付勢部材Ｃとしてひげバネを用いた例が示されているが、板バネ、トーションバー、スプリングなど、懸吊解除部材３６に後方への付勢力を作用させることができる他の任意の手段で付勢部材Ｃを構成することが可能である。
【００９０】
第２物品展示具３０Ａでは、付勢部材Ｃにより懸吊解除部材３６を後方に向けて付勢しているため、第２物品展示具３０について上記した効果を達成することに加え、ゲーム機１に加えられた前後方向への振動などによって懸吊体３５が支持孔４２ｂから抜け落ちて懸吊部材３４が第２状態に移行し、誤って景品が落下して払い出されるなどの不都合を防止することが可能となる。また、付勢部材Ｃからの付勢力によって景品の懸吊状態が安定するため、ゲーム機１を設置する施設の運営者等が第２物品展示具３０Ａに景品を装着等する際の作業性が向上し、ゲーム機１の運営に係る作業負担を軽減することが可能となる。
【００９１】
図１に戻って、本実施形態の係止解除部材６は、遊技者による上昇ボタン９ａ及び横走行ボタン９ｂの操作に応じて操作面（図１におけるＸＹ面）で移動する部材であり、棚部材４に装着された第１物品展示具２０、第２物品展示具３０にそれぞれ係止されているターゲット部材２２ｃ、３５ｂを下方に牽引することで、小型景品Ｇ１、中型景品Ｇ２を落下させるために用いられる部材である。なお、本実施形態の係止解除部材６は、例えば、特許文献１（特許第３６７５５６６号公報）に開示される公知の係止解除部材（５）や係止解除部材（１２０）などと同様の構成とすることができる。
【００９２】
図１０は、本実施形態の係止解除部材６の構成を示す説明図であり、図１０（ａ）が、係止解除部材６の駆動機構の斜視を示す説明図であり、図１０（ｂ）が、上記駆動機構の一部を省略した要部側面を示す説明図である。
【００９３】
即ち、この係止解除部材６では、上記操作面で移動する本体部（ケース）６０と、その本体部６０に設けられて該本体部６０の前方側から突出可能で前後方向（図１におけるＺ方向）に伸縮自在の部材であり、第１、第２物品展示具２０、３０、３０Ａのターゲット部材２２ｃ、３３ｂ（又はこれら及び長尺部材２２ｄ、３３ａ）と係合して下方向に牽引するための楔状の切り込み６１ａが先端に形成されたフォーク部材６１とを主体に構成されている。
【００９４】
そして、この係止解除部材６では、後述の係止解除部材制御部８３（８３Ａ、８３Ｂ）で制御されるソレノイド８３３ａの駆動によって、ワイヤーＷＲが上下方向（Ｙ方向）に駆動することにより、スプリングＳＰにより付勢されるプーリーＰの前後方向（Ｚ方向）の移動に伴う揺動バー６２の揺動により、上記ワイヤーＷＲの駆動方向に応じてフォーク部材６１が前後方向（Ｚ方向）における前方向又は後方向に移動する。
【００９５】
また、この係止解除部材６では、後述の係止解除部材制御部８３（８３Ａ、８３Ｂ）で制御される水平移動用モータ８３２ａ（図１０に不図示）の回動によって、ネジ棒７１ａ及びネジ棒７１ｂが回動することにより、ガイドレール７２ａ、ガイドレール７２ｂにそれぞれ案内されるスライダー７３ａ、スライダー７３ｂ及びガイドポール８１とともに本体部６０が上記回動方向に応じて左右方向（Ｘ方向）における左方向又は右方向に移動する。
【００９６】
また、この係止解除部材６では、係止解除部材制御部８３（８３Ａ、８３Ｂ）で制御される鉛直移動用モータ８３１ａの回動によって、ネジ棒８２が回動することにより、ガイドポール８１に案内されるスライダー８３とともに本体部６０が上記回動方向に応じて上下方向（Ｙ方向）における上方向又は下方向に移動する。
【００９７】
なお、この係止解除部材６は、ゲーム開始前における本体部６０のホームポジションが決められており、左側の係止解除部材６では、左下方の隅が本体部６０のホームポジションとされ、右側の係止解除部材６では、右下方の隅が本体部６０のホームポジションとされている。
【００９８】
そして、本実施形態では、遊技者などによって硬貨投入口１０に所定のゲーム料金が投入された場合などのゲーム開始条件が成立した場合に、遊技者などによる上昇ボタン９ａの操作及び上昇ボタン９ａの操作後の横走行ボタン９ｂの操作を受け付ける態様となっており、本実施形態の係止解除部材６では、上記ゲーム開始条件が成立した場合に遊技者により上昇ボタン９ａが押下され続けている間だけ本体部６０が上昇し、上昇ボタン９ａの押下が解除された場合に本体部６０の上昇が停止し、続いて、遊技者により横走行ボタン９ｂが押下され続けている間だけ本体部６０が横方向（左又は右）に走行し、横走行ボタン９ｂの押下が解除された場合に本体部６０の横走行が停止する。その後、本体部６０の横走行が停止した場合に、フォーク部材６１が前方向に所定長だけ自動的に伸長し、所定長の伸長が完了した場合に、フォーク部材６１が伸長した状態のまま本体部６０が所定ストロークだけ自動的に下降する。その後、所定ストロークの下降が完了した場合に、フォーク部材６１が元の位置に戻され、その後、本体部６０が上述のホームポジションに戻される。
【００９９】
なお、本実施形態の係止解除部材６では、フォーク部材６１を駆動する駆動手段としてソレノイド８３３ａを使用する形態について説明したが、これ以外にも、例えば、フォーク部材６１を駆動する駆動手段として、上記ソレノイドに替えてモータを使用することもできる。
【０１００】
図１１は、物品取得ゲーム機１におけるシステム構成を示す説明図である。
【０１０１】
図示されるように、本実施形態では、主制御基板８０に、Ｉ／Ｆ８０ｄ及び信号線を介して設定受付部８１、操作受付部８２（８２Ａ、８２Ｂ）、係止解除部材制御部８３（８３Ａ、８３Ｂ）、照明・音響制御部８４、硬貨処理部８５などが電気的に接続されている。
【０１０２】
ここで、主制御基板８０は、物品取得ゲーム機１全体を統括的に制御する部分であり、ＣＰＵ８０ａと、周辺装置を制御するための各種プログラム及びデータが格納されるＲＯＭ８０ｂと、演算用の作業データなどを一時記憶するＲＡＭ８０ｃと、ＣＰＵ８０ａと周辺装置との間における各種信号の授受を行うためのＩ／Ｆ８０ｄと、それらを相互に接続するためのバス８０ｅとから構成されている。
【０１０３】
設定受付部８１は、設定パネルにおいて設定された各設定値を主制御基板８０に伝達するためのインターフェイスである。即ち、上記設定値に基づいて、主制御基板８０の制御のもと係止解除部材６の前後方向（Ｚ方向）における到達位置や戻り位置、自動下降距離などの調節が行われる。
【０１０４】
操作受付部８２Ａ、８２Ｂは、操作パネル９の上昇ボタン９ａ、横走行ボタン９ｂからの信号を主制御基板８０に伝達するためのインターフェイスであり、上昇ボタン９ａへの操作が検知された場合には、係止解除部材６を基準位置から上方に駆動すべき旨の信号を主制御基板８０に送信し、当該上昇ボタン９ａへの操作が解除された場合には、係止解除部材６の上方への駆動を停止するべき旨の信号を主制御基板８０に送信し、他方、横走行ボタン９ｂへの操作が検知された場合には、係止解除部材６を横方向に走行させるべき旨の信号を主制御基板８０に送信し、当該横走行ボタン９ｂへの操作が解除された場合には、係止解除部材６の横方向への走行を停止するべき旨の信号を主制御基板８０に送信する。
【０１０５】
係止解除部材制御部８３Ａ、８３Ｂは、主制御基板８０からの制御信号に従って、係止解除部材６の制御を実行するものである。即ち、主制御基板８０から係止解除部材６の上昇動作を指示する信号を受信した場合には、モータドライバ８３１は、鉛直移動用モータ８３１ａの駆動制御を行うことにより、係止解除部材６に上昇動作を実行させる。また、主制御基板８０から係止解除部材６の横方向への走行を指示する信号を受信した場合には、モータドライバ８３２は、水平移動用モータ８３２ａの駆動制御を行うことにより、係止解除部材６を横方向へ走行させる処理を実行する。
【０１０６】
硬貨処理部８５は、硬貨投入口１０に投入された硬貨の識別処理を実行し、予め定められた額の正当な硬貨の投入を検知した場合に、硬貨検知信号を主制御基板８０に送信する処理を実行し、照明・音響制御部８４は、主制御基板８０からの制御信号に従って、ゲームの進行状況等に応じた演出照明や効果音を出力するべく、照明装置８、スピーカ１２等の制御を実行する。
【０１０７】
図１２は、物品取得ゲーム機１において実行される処理の流れを示す説明図である。
【０１０８】
図示されるように、まず、ステップＳ１において、遊技者により所定のゲーム料金が硬貨投入口１０に投入されると、ゲーム開始可能な状態に遷移し（ステップＳ１：ＹＥＳ）、続いて、ステップＳ２において、遊技者により上昇ボタン９ａが押下されると（ステップ２：ＹＥＳ）、押下されている間中、鉛直移動用モータ８３１ａの駆動により係止解除部材６が上昇し（ステップＳ３）、続いて、ステップＳ４において、遊技者により上昇ボタン９ａの押下が解除されると（ステップＳ４：ＹＥＳ）、係止解除部材６の上昇が停止する。
【０１０９】
続いて、ステップＳ５において、遊技者により横走行ボタン９ｂが押下されると（ステップＳ５：ＹＥＳ）、押下されている間中、水平移動用モータ８３２ａの駆動により係止解除部材６が横（右など）に走行し（ステップＳ６）、ステップＳ７において、遊技者により横走行ボタン９ｂの押下が解除されると（ステップＳ７：ＹＥＳ）、係止解除部材６の横走行が停止する。
【０１１０】
こうして遊技者による操作で移動した係止解除部材６が停止すると、ステップＳ８において、自動的にソレノイド８３３ａを駆動してフォーク部材６１を伸長し、続いて、ステップＳ９において、設定されている降下量だけ係止解除部材６とともにフォーク部材６１を下降する。
【０１１１】
その後、ステップＳ１０において、フォーク部材６１を収縮し、続いて、ステップＳ１１において、鉛直移動用モータ８３１ａ、水平移動用モータ８３２ａを駆動して係止解除部材６を所定のホームポジションに帰還させ、その後、処理をステップＳ１に復帰させる。
【０１１２】
なお、上記実施形態では、１つの棚部材４には、第１物品展示具２０或いは第２物品展示具３０のいずれか一種類のみを装着する形態について説明したが、これ以外にも、例えば、図１３に示すように、一つの棚部材４に、第１物品展示具２０及び第２物品展示具３０の両者を装着するような形態で使用することも可能である。
【０１１３】
また、上記実施形態では、ボールチェーンや紐などの環状部材で本体部分（ぬいぐるみや人形の部分）が懸吊される小型景品Ｇ１を第１物品展示具２０で懸吊する場合、上記環状部材をフック部２２ｂに引っ掛ける態様で小型景品Ｇ１を懸吊する形態（図６参照）について説明したが、この形態では、上記環状部材が長い場合に、フック部材２２と小型景品Ｇ１の本体部分の間に無駄なスペースＬ１（図６参照）が生じてしまい、上下方向Ｙにおける棚部材４の取付数が少なくなってしまうなどの不都合が生じる。
【０１１４】
そこで、上述のような不都合を解消するためのフック部材２２の構成及び当該フック部材２２に対する小型景品Ｇ１の特殊取付の態様について図１４を用いて説明する。
【０１１５】
図１４（ａ）は、上述のフック部材２２の側面視を示す説明図であり、図１４（ｂ）は、上述のフック部材２２の背面を上方から見た斜視を示す説明図であり、図１４（ｃ）〜（ｅ）は、フック部材２２に対する小型景品Ｇ１の特殊取付の一態様、及び、当該小型景品Ｇ１の係止解除の一態様を示す説明図である。
【０１１６】
上述の図４に示したフック部材２２は、図１４（ａ）、（ｂ）などに良く示されているように、当該フック部材２２の底部に、小型景品Ｇ１の本体部分（ぬいぐるみや人形の部分）を懸吊するボールチェーンＢＣや紐などの環状部材を係合する浅めの溝が形成された係合溝２０１を備えるとともに、その係合溝２０１に係合された上記環状部材を本体壁部２２ａの背面側から正面側に案内係合する案内係合面２０２とを更に備えている。これにより、図１４（ｃ）に示される態様で小型景品Ｇ１がフック部材２２に懸吊される。なお、図１４（ｃ）の懸吊態様においては、ボールチェーンＢＣを係合溝２０１と案内係合面２０２に係合させる際に、本体壁部２２ａの背面側に配置される中央板部材２０３の左右いずれか一方の側においてボールチェーンＢＣと案内係合面２０２の間に連索部材２３が配置される態様で係合させる。これにより、連索部材２３が小型景品Ｇ１の落下を妨げずに済む。
【０１１７】
そして、上記図１４（ｃ）の状態で、遊技者により移動操作される係止解除部材６の下降動作により係止部材２１によるボールチェーン２２ｄの係止が解除された場合には、上記図１４（ａ）の態様で懸吊された小型景品Ｇ１の重量によってフック部材２２が連索部材２３との連結部分を軸として、ターゲット部材２２ｃが前方下方に倒れるように回転し、ターゲット部材２２ｃが下方に配置され、底部が上方に配置される態様となることによって、まず、図１４（ｄ）に示されるように、係合溝２０１とボールチェーンＢＣの係合が解除され、続いて、図１４（ｅ）に示されるように、案内係合面２０２とボールチェーンＢＣの係合が解除されてボールチェーンＢＣのリング内からフック部材２２に設けられたボールチェーン２２ｄが抜けて小型景品Ｇ１が落下する。
【０１１８】
即ち、上記形態によれば、割りと長めのボールチェーンや紐などの環状部材で懸吊される小型景品Ｇ１を第１物品展示具２０で懸吊する場合においても、環状部材をフック部材２２の背面側に回し込むことによって、フック部材２２と小型景品Ｇ１の本体部分（ぬいぐるみや人形の部分）との間のスペースを少なくすることができ、これにより、上下方向Ｙにおける棚部材４の取付数を増加させることができる。
【０１１９】
以下、上記実施形態の各種変形形態について説明する。
【０１２０】
上記実施形態の第１物品展示具２０では、ボールチェーン２２ｄを傾斜保持部材２１６で傾斜状態に保持することで、フック部２２ｂに懸吊された小型景品Ｇ１の回転を抑止す場合について説明したが、この実施形態では、景品を適切と思う方向に向けて懸吊した状態を保ったまま、ボールチェーン２２ｄを傾斜させてこれを傾斜保持部材２１６によって保持する作業が必要であるが、ボールチェーン２２ｄを傾斜させ、或いは、これを傾斜保持部材２１６によって保持している途中で景品の向きが変わってしまう場合もあり、人によってはこの作業を面倒と感じる場合もある。
【０１２１】
そこで、上記の作業を一層容易化するために、第１物品展示具２０の変形形態である第１物品展示具２０Ａを替わりに利用することもできる。
【０１２２】
図１５（ａ）は、当該第１物品展示具２０Ａの側面視を示す説明図である。
【０１２３】
図示されるように、この第１物品展示具２０Ａでは、上述の係止部材２１と同一構成の係止部材２１と、上述のフック部材２２に、ボールチェーン２２ｄの一端を回動自在に支持する第１支持部材２２ｅと、後述の連索部材２３Ａの一端に一体的に形成された筒状の回動部材２３ａを螺子状の回動軸Ｓ３を介して回動自在に支持する第２支持部材２２ｆとを新たに追加したフック部材２２Ａと、上記回動部材２３ａが一端側に一体的に形成されるとともに、他端側が上記係止部材２１Ａの係合片２１４に固定される連索部材２３Ａとから構成される。
【０１２４】
即ち、この変形形態の第１物品展示具２０Ａを採用すれば、小型景品Ｇ１を係止部材２１から吊り下げた状態のまま、或いは、更に傾斜保持部材２１６でボールチェーン２２ｄを傾斜保持した状態のまま小型景品Ｇ１の方向を調節することができ、アイキャッチの良い方向で景品を懸吊するための作業を極めて簡単に行うことが可能になる。
【０１２５】
なお、本変形形態に係る第１物品展示具２０Ａにおいては、螺子状の回動軸Ｓ３の締め具合を調節することにより、回動部材２３ａの回動をし易くしたり、逆に回動しづらくすることが可能である。従って、回動部材２３ａの回動をある程度渋くすることにより、小型景品Ｇ１を正面に向けるようにフック部２２ｂを回動させた後に、係止解除部材６との接触等で何らかの力が働いた場合にフック部２２ｂが回転して小型景品Ｇ１が横を向いてしまうなどを防止することが可能である。
【０１２６】
また、上記変形形態以外にも、上述の第１物品展示具２０において、フック部材２２に固定されていたボールチェーン２２ｄの一端を、当該ボールチェーン２２ｄが軸回転できるように取り付ける形態としても良いし、また、上記回動にある程度の負荷を必要とするような形態としても良い。このような構成によれば、上述した変形形態と同様の効果を達成できる。
【０１２７】
また、第２物品展示具３０においても、中型景品Ｇ２の態様に関係無く、中型景品Ｇ２を簡単に正面に向けることが可能な機構を追加的に備えることも可能である。このような構成によれば、第２物品展示具３０においても、上述した変形形態と同様の効果を達成できる。
【０１２８】
また、上記実施形態の第１物品展示具２０におけるフック部材２２では、ジョイントやコネクタなどと呼ばれる連結部材によりリング状にされたボールチェーンで吊り下げられる態様の小型景品Ｇ１を懸吊した場合に、当該リングチェーンの連結部材の部分で小型景品Ｇ１をフック部２２ｂに係合すると、連結部材の幅よりフック部材の幅が狭いなどの理由から連結部材におけるボールの連結が解除され、それにより、小型景品Ｇ１が落下してしまうなどの不都合が発生する可能性がある。
【０１２９】
そこで、上述のような不都合を解消するために、第１物品展示具２０のフック部材２２の変形形態であるフック部材２２Ｂを替わりに利用することもできる。
【０１３０】
図１５（ｂ）は、当該フック部材２２Ｂの上方斜視を示す説明図である。
【０１３１】
図示されるように、このフック部材２２Ｂは、上述のフック部材２２に、小型景品Ｇ１のボールチェーンが連結部材の部分で係合した場合の当該連結部材における連結解除を阻止するための台座２２ｇを新たに追加した構成となっており、その他の構成は、フック部材２２と同様なものである。より具体的には、台座２２ｇは、連結部材の幅と同じか或いはそれ以上の幅Ｗを有する態様で形成されている。
【０１３２】
即ち、この変形形態のフック部材２２Ｂを採用すれば、連結部材におけるボールの連結が解除されることを未然に防ぐことができるので、従来のように、連結部材におけるボールの連結が解除されて景品払出口１１に落下した小型景品Ｇ１が遊技をしない遊技者などの第三者に持っていかれることによる施設側の損失を防ぐことが可能となるとともに、上述のような連結部材の解除により小型景品Ｇ１が景品払出口１１に落下しているか否かなどのスタッフによる確認作業を無くすことができるので、スタッフの負担を軽減することも可能である。
【０１３３】
また、上記図４及び図１５に示した実施形態に係るフック部材２２、２２Ａ、２２Ｂでは、小型景品Ｇ１に取り付けられたボールチェーン、リング、紐等、或いは、包装台紙などに形成された孔などをフック部材２２に係合させる態様で小型景品Ｇ１を懸吊する形態が一般的である場合について説明したが、この形態では、例えば、径の大きいリングが取り付けられた小型景品Ｇ１を懸吊させる場合には、径の大きいリングをフック部２２ｂに引っ掛けるとリングの大部分（例えば、約３／４）が下方に露出してしまい、フック部２２ｂ或いは台座２２ｇを軸に前後に揺動し易くなって安定しないなどの不都合が生じる。また、上述のようにリングの大部分が露出することで、その露出した部分を遊技者によりターゲットとして直接狙われてしまうことにより物品取得ゲーム機の設置者、運営者の意図を越えて景品取得が容易になるなどの不都合を生じる。
【０１３４】
そこで、上述のような不都合を解消するために、上記フック部材２２、２２Ａ及び２２Ｂの変形形態であるフック部材２２Ｃを替わりに利用することもできる。
【０１３５】
図１６（ａ）は、当該フック部材２２Ｃの上方斜視を示す説明図である。
【０１３６】
図示されるように、このフック部材２２Ｃは、上述のフック部材２２Ｂに、小型景品Ｇ１のリングＲの大部分を本体壁部２２ａの前方面に当接させる態様で係合する先端が鉤状に折り曲げられた形状の係合突起部２２ｈを新たに追加した構成となっており、その他の構成は、フック部材２２Ｂと同様なものである。
【０１３７】
即ち、この変形形態のフック部材２２Ｃを採用すれば、例えば、径の大きいリングＲが取り付けられた小型景品Ｇ１を懸吊させる場合において、リングＲを係合突起部２２ｈに係合させる態様で小型景品Ｇ１を懸吊させることにより、リングＲの大部分（例えば、約３／４）が本体壁部２２ａの前方面に当接し、リングＲが前後方向に揺動し難くなるため、小型景品Ｇ１の安定性を高めることができる。また、フック部２２ｂより下方に露出するリングＲの露出部分が少なくなることで、遊技者により上記露出部分をターゲットとして狙われることを防ぐことができるため、物品取得ゲーム機の設置者、運営者の意図を越えて景品取得が容易になってしまうなどの不都合を未然に防ぐことができる。
【０１３８】
なお、上述したフック部材２２Ｃによれば、ボールチェーン、紐などが取り付けられた小型景品Ｇ１を懸吊させる場合においても、上述したのと同様の効果を得ることができる。
【０１３９】
また、上述した種々のフック部材２２、２２Ａ、２２Ｂ及び２２Ｃ以外にも、例えば、上述の本体壁部２２ａ及びフック部２２ｂ及びターゲット部材２２ｃなどの部材を必要最低限備え、各フック部材２２、２２Ａ、２２Ｂ及び２２Ｃにおける種々の構成要素のいずれかを組み合わせた態様のフック部材を利用することも可能である。
【０１４０】
また、上記実施形態の第２物品展示具３０、３０Ａでは、係止解除部材６により駆動部材３３が牽引された場合に、懸吊解除部材３６が回動軸Ｓ１の周りに回動することにより懸吊体３５が前方側に牽引されて支持孔４２ｂから抜け落ちる形態について説明したが、これ以外にも、例えば、図１７〜２０に示す他の変形形態に係る第２物品展示具３０Ｂ〜３０Ｅを採用することも可能である。
【０１４１】
図１７（ａ）に示される第２物品展示具３０Ｂは、係合爪１１１ａなどにより棚部材４に取り付けられる本体部１１１と、第２物品展示具３０と同様の係止部材１１２と、係止解除部材６などによる牽引を受ける駆動部材１１３と、景品を懸吊するための懸吊部材１１４を主体に構成されている。
【０１４２】
上記駆動部材１１３は、係止部材１１２に係止されるボールチェーンなどよりなる長尺部材１１３ａ及びその下端に取り付けられたターゲット部材１１３ｂを有している。
【０１４３】
また、第２物品展示具３０Ｂの懸吊部材１１４は、上方の所定部位を本体部１１１に設けられた回動軸Ｓ４に回動自在に取り付けられ、中間位置に係合片１１６ａを有する懸吊解除部材１１６と、一端を係合片１１６ａにより支持され、他端を棚部材４に設けられた回動軸Ｓ５により回動自在に支持される懸吊体１１５から構成されており、懸吊解除部材１１６の下端は、案内ローラＲ１に案内されるロープ１１６ｂによりターゲット部材１１３ｂと連結されている。
【０１４４】
上記物品展示部３０Ｂの懸吊部材１１４は、懸吊体１１５が係合片１１６ａにより支持されている間は懸吊体１１５が概略水平である第１状態にあり、景品を懸吊展示することが可能である。そして、遊技者により操作される係止解除部材６によるターゲット部材１１３ｂへの牽引などによって係止部材１１２での長尺部材１１３ａの係止が解除されてターゲット部材１１３ｂが落下した場合には、ロープ１１６ｂに引かれて懸吊解除部材１１６が前方に向けて回動し、懸吊体１１５は係合片１１６ａの支持を失って回動軸Ｓ５の周りで下方に回転する。これにより懸吊部材１１４は景品を懸吊不能な第２状態となり、懸吊部材１１４に懸吊されていた景品は落下して景品払出口１１に払い出される。
【０１４５】
図１７（ｂ）に示される第２物品展示具３０Ｃは、係合爪１２１ａなどにより棚部材４に取り付けられる本体部１２１と、第２物品展示具３０と同様の係止部材１２２と、係止解除部材６による牽引を受ける駆動部材１２３と、景品を懸吊するための懸吊部材１２４を主体に構成され、第２物品展示具３０の懸吊解除部材３６やトリガ部材３３ｃなどは省略されている。
【０１４６】
上記駆動部材１２３は、係止部材１２２に係止されるボールチェーンなどよりなる長尺部材１２３ａ及びその下端に取り付けられたターゲット部材１２３ｂを有しており、棒状の部材である懸吊部材１２４は、その一端が本体部１２１の支持底面１２１ｂに支持され、他端は棚部材４の支持孔４２ｂに所定長Ｌだけ挿通されて支持されている。また、懸吊部材１２４の一端には、長尺部材１２３ａが直接取り付けられている。
【０１４７】
上記物品展示部３０Ｃの懸吊部材１２４は、懸吊部材１２４が支持孔４２ｂに挿通支持されている間は概略水平の第１状態にあり、景品を懸吊展示することが可能である。そして、遊技者により操作される係止解除部材６などによってターゲット部材１２３ｂが下方に牽引されると、長尺部材１２３ａに引かれて懸吊部材１２４は図面左方に移動することになる。そして、懸吊部材１２４が所定長Ｌ以上移動すると、懸吊部材１２４は支持孔４２ｂによる支持を失って落下し、景品を懸吊不能な第２状態となり、懸吊部材１２４に懸吊されていた景品は落下して景品払出口１１に払い出される。
【０１４８】
図１８は、更に他の実施形態に係る第２物品展示具３０Ｄを示す説明図であり、図１８（ａ）には第２物品展示具３０Ｄの斜視図が示され、図１８（ｂ）にはそのカバー１３７を取り去った状態が示されている。
【０１４９】
図示されるように、第２物品展示具３０Ｄは、本体部１３１、係止部材１３２、駆動部材１３３、懸吊部材１３４及びカバー１３７を主体に構成されている。
【０１５０】
本体部１３１は、基部１３１ａと、基部１３１ａの後方に設けられ、棚部材４又は取付壁５に第２物品展示具３０Ｄを固定し、或いは更にカバー１３７を嵌合保持するための係止片１３１ｂと、基部１３１ａから前方に張り出した腕部１３１ｃと、腕部１３１ｃ前端に設けられた円弧状の案内面１３１ｄを有し、案内面１３１ｄの後部には、長尺部材１３３ａは挿通できるが懸吊解除部材１３６は通過できない通孔１３１ｅが設けられている。
【０１５１】
上記案内面１３１ｄの前端には、互い違いの位置に前後して立設された２本の突起片１３２ａ、１３２ｂからなる係止部材１３２が形成されており、所定の係止力（摩擦力）をもって長尺部材１３３ａを係止することが可能となっている。
【０１５２】
駆動部材１３３は、長尺部材１３３ａ及びその一端に取り付けられたターゲット部材１３３ｂから構成され、長尺部材１３３ａの中間の適宜の部位は係止部材１３２により係止され、その他端側は、案内面１３１ｄ及び通孔１３１ｅを経て懸吊部材１３４に導かれている。また、長尺部材１３３ａは、通孔１３１ｅと懸吊部材１３４の間である程度のたわみを持たされている。
【０１５３】
懸吊部材１３４は、前方に向かって下降するように基部１３１ａに取り付けられた棒状の懸吊体１３５と、懸吊体１３５に係合固定される懸吊解除部材１３６から構成されている。
【０１５４】
図１８（ｃ）及び（ｄ）は、それぞれ、懸吊体１３５及び懸吊解除部材１３６を拡大して示す説明図である。
【０１５５】
図示のように、懸吊体１３５は、その中間位置に刻設された溝部１３５ａと当該溝部１３５ａから起立する突起１３５ｂを有している。一方、懸吊解除部材１３６は、円盤体１３６ａと円盤体１３６ａを貫通するように取り付けられた係合体１３６ｂから構成されている。係合体１３６ｂは、円盤体１３６ａを挟んだ一方側に、Ｕ字状の切欠１３６ｃ及び凹陥１３６ｄが形成されており、切欠１３６ｃ及び凹陥１３６ｄをそれぞれ溝部１３５ａ及び突起１３５ｂに係合させることにより、懸吊解除部材１３６は懸吊体１３５に取り付けられる。また、懸吊解除部材１３６の円盤体１３６ａを挟んだ他方側には開口１３６ｅが形成され、当該開口１３６ｅには、長尺部材１３３ａの一端が結わえ付けられる。
【０１５６】
上記第２物品展示具３０Ｄでは、懸吊解除部材１３６が懸吊体１３５に係合した第１状態（図１８（ａ）、（ｂ））では、懸吊体１３５に懸吊された景品の滑りを懸吊解除部材１３６により停止させることができるため、景品を懸吊展示することが可能である。
【０１５７】
一方、係止解除部材６などによりターゲット部材１３３ｂが下方に牽引されると、ターゲット部材１３３ｂは、係止部材１３２の係止力に抗して下降し、それにつれて長尺部材１３３ａのたわみは少なくなっていく。そして、たわみが無くなった状態から更にターゲット部材１３３ｂが下方に牽引されると、溝部１３５ａと切欠１３６ｃ及び／又は突起１３５ｂと凹陥１３６ｄの係合が外れ、懸吊解除部材１３６は懸吊体１３５から引き抜かれることになる。これにより懸吊部材１３４は、景品を懸吊不能な第２状態（図１８（ｅ））となり、懸吊体１３５に懸吊されていた景品は、懸吊体１３５の傾斜で滑り落ちて景品払出口１１に払い出される。
【０１５８】
第２物品展示具３０Ｄでは、係止部材１３２と懸吊部材１３４が別個の部材とされているために、より大きい重量及び／又はより大きいサイズの景品を懸吊展示できるなど、第２物品展示具３０と同様の効果が達成できる。
【０１５９】
加えて、第２物品展示具３０Ｄでは、通孔１３１ｅと懸吊部材１３４の間での長尺部材１３３ａのたわみ量を調整することで景品取得の難易度を容易に調整可能であり、遊技者は、たわみ量から景品取得の難易度を容易に知ることができる。
【０１６０】
更に、図１８（ｅ）のように懸吊部材１３４が第２状態に移行した場合でも懸吊解除部材１３６が通孔１３１ｅを通過できない構成であるため、景品の落下に伴って駆動部材１３３や懸吊解除部材１３６などが一緒に落下して紛失等する不都合も防止することが可能である。
【０１６１】
なお、第２物品展示具３０Ｄでは、可撓性を有する長尺紐状の任意の部材を長尺部材１３１ａに使用することができる。また、第２物品展示具３０、３０Ａ〜３０Ｃと同様に、長尺部材としてボールチェーンや外周からの締付力により縮径可能な紐状の部材が使用することができる。
【０１６２】
図１９は、更に他の実施形態に係る第２物品展示具３０Ｅを示す説明図であり、図１９（ａ）には、第２物品展示具３０Ｅの斜視図が示され、図１９（ｂ）にはそのカバー１４７を取り去った状態が示されている。
【０１６３】
図示されるように、第２物品展示具３０Ｅは、本体部１４１、係止部材１４２、駆動部材１４３、懸吊部材１４４及びカバー１４７を主体に構成されている。
【０１６４】
本体部１４１は、基部１４１ａと、基部１４１ａの後方に設けられ、棚部材４又は取付壁５に第２物品展示具３０Ｅを固定し、或いは更にカバー１４７を嵌合保持するための係止片１４１ｂと、基部１４１ａから前方に張り出した腕部１４１ｃと、腕部１４１ｃ前端に突設された回動軸１４１ｄを有している。
【０１６５】
懸吊部材１４４は、前方に向かって下降するように基部１４１ａに取り付けられた棒状の懸吊体１４５と、懸吊体１４５に係合固定される懸吊解除部材１４６から構成されている。
【０１６６】
図１９（ｃ）及び（ｄ）は、それぞれ、懸吊体１４５及び懸吊解除部材１４６を拡大して示す説明図である。
【０１６７】
図示のように、懸吊体１４５は、その前端付近の左右両面に溝部１４５ａが刻設されている。一方、懸吊解除部材１４６は、懸吊体１４５を収容できる空間１４６ｂが形成された中空の胴部１４６ａを有し、胴部１４６ａの左右内面には溝部１４５ａに勘合する突起１４６ｃが形成されており、懸吊体１４５を胴部１４６ａに収容して突起１４６ｃを溝部１４５ａに係合させることにより、懸吊解除部材１４６は懸吊体１４５に取り付けられる。
【０１６８】
また、懸吊解除部材１４６は、前後方向の中間位置で、本体部１４１の回動軸１４１ｄに回動自在に支持されており、当該回動軸１４１ｄよりも前側には、係止部材１４２が取り付けられた前腕部１４６ｄが延びている。
【０１６９】
駆動部材１４３は、所定径を有する長尺部材１４３ａと、長尺部材１４３ａと概略同径の孔を有するターゲット部材１４３ｂから構成されており、長尺部材１４３ａは所定の摩擦力をもってターゲット部材１４３ｂの孔に挿通され、ターゲット部材１４３ｂは、その摩擦力により長尺部材１４３ａの中間の適宜の位置に停止している。また、長尺部材１４３ａには、その上下端にストッパー１４３ｃ、１４３ｄが取り付けられており、長尺部材１４３ａは挿通させるがストッパー１４３ｃは通過させないサイズ及び／又は形状の孔が形成れた係止部材１４２により長尺部材１４３ａの上端が係止されている。
【０１７０】
上記第２物品展示具３０Ｅでは、懸吊解除部材１４６が懸吊体１４５に係合した第１状態（図１９（ａ）、（ｂ））では、懸吊体１４５に懸吊された景品の滑りを懸吊解除部材１４６により停止させることができるため、景品を懸吊展示することが可能である。
【０１７１】
一方、係止解除部材６などによりターゲット部材１４３ｂが下方に牽引されると、ターゲット部材１４３ｂは、長尺部材１４３ａとの摩擦力に抗して下降し、やがてはターゲット部材１４３ｂは長尺部材１４３ａ下端のストッパー１４３ｄに当接する。そして、その状態から更にターゲット部材１４３ｂが下方に牽引されると、その牽引力が長尺部材１４３ａを介して前腕部１４６ｄに伝達され、懸吊解除部材１４６はその牽引力により回動軸１４１ｄの周りで回転して懸吊体１４５との係合が外れる。これにより懸吊部材１４４は第２状態に移行し、懸吊体１４５に懸吊されていた景品は、懸吊体１４５の傾斜で滑り落ちて景品払出口１１に払い出される。
【０１７２】
第２物品展示具３０Ｅでは、係止部材１４２と懸吊部材１４４が別個の部材とされているために、より大きい重量及び／又はより大きいサイズの景品を懸吊展示できるなど、第２物品展示具３０と同様の効果が達成できる。
【０１７３】
また、第２物品展示具３０Ｅでは、長尺部材１４３ａ上におけるターゲット部材１４３ｂの停止位置即ち、ターゲット部材１４３ｂからストッパー１４３ｃまでの距離を調整することで景品取得の難易度を容易に調整可能であり、遊技者は、上記停止位置から景品取得の難易度を容易に知ることができる。
【０１７４】
更に、図１９（ｅ）のように懸吊部材１４４が第２状態に移行した場合でも、懸吊解除部材１４６は回動軸１４１ｄに軸支されたままであり、景品の落下に伴って第２物品展示具３０Ｅを構成する部品が一緒に落下して紛失等する不都合も防止することが可能である。
【０１７５】
なお、第２物品展示具３０Ｅの長尺部材１４３ａには、ボールチェーンや外周からの締付力により縮径可能な紐状の部材だけでなく、可撓性を有する長尺紐状の任意の部材を使用することが可能であり、更には、可撓性を有しない（剛直性の）長尺の棒状部材を使用することも可能である。
【０１７６】
図２０は、更に他の実施形態に係る第２物品展示具３０Ｆを示す説明図であり、図２０（ａ）にはその斜視図が、図２０（ｂ）には一部切欠側面図が示されている。
【０１７７】
図示されるように、第２物品展示具３０Ｆは、本体部１５１、係止部材１５２、駆動部材１５３及び懸吊部材１５４を主体に構成されている。
【０１７８】
本体部１５１は、箱状体１５１ａと、箱状体１５１ａから前上方に張り出した腕部１５１ｂを有し、腕部１５１ｂの先端には、円柱状の係止部材１５２が取り付けられている。
【０１７９】
駆動部材１５３は、可撓性の長尺部材１５３ａと、長尺部材１５３ａの一端に取り付けられたターゲット部材１５３ｂと、他端に取り付けられたトリガ部材１５３ｃから構成されており、係止部材１５２は長尺部材１５３ａとの摩擦により長尺部材１５３ａを係止している。
【０１８０】
懸吊部材１５４は、側面視Ｚ状に形成された弾性体よりなる板部材であり、その前上端には長尺部材１５３ａは挿通できるがトリガ部材１５３ｃは通過できないサイズの孔１５４ａが形成され、その第１屈曲部１５４ｂは本体部１５１に設けられた回動軸１５１ｃに回動自在に軸支され、その後下端には、本体部１５１に形成された開口１５１ｄに挿通して係合する係合爪１５４ｄが形成されている。
【０１８１】
上記第２物品展示具３０Ｆでは、懸吊部材１５４の係合爪１５４ｄが開口１５１ｄに係合した第１状態では、懸吊部材１５４の第２屈曲部１５４ｃと係合爪１５４ｄの間の部分で景品を懸吊することが可能である。
【０１８２】
一方、係止解除部材６などによりターゲット部材１５３ｂが下方に牽引されると、ターゲット部材１５３ｂは、係止部材１５２と長尺部材１５３ａの摩擦力に抗して下降し、やがてはトリガ部材１５３ｃが懸吊部材１５４の孔１５４ａに当接する。そして、その状態から更にターゲット部材１５３ｂが下方に牽引されると、その牽引力が懸吊部材１５４に作用し、一定以上の懸吊力が作用すると、係合爪１５４ｄの係合が外れる。これにより懸吊部材は回動軸１５１ｃの周りで上方に回転した第２状態（図２０（ｃ））に移行し、懸吊部材１５４に懸吊されていた景品は落下して景品払出口１１に払い出される。
【０１８３】
第２物品展示具３０Ｆでは、係止部材１５２と懸吊部材１５４が別個の部材とされているために、より大きい重量及び／又はより大きいサイズの景品を懸吊展示できるなど、第２物品展示具３０と同様の効果が達成できる。
【０１８４】
加えて、第２物品展示具３０Ｆでは、孔１５４ａからトリガ部材１５３ｃの距離を調整することで景品取得の難易度を容易に調整可能であり、遊技者は、その距離から景品取得の難易度を容易に知ることができる。
【０１８５】
更に、図２０（ｃ）のように懸吊部材１５４が第２状態に移行した場合でも、懸吊部材１５４は回動軸１５１ｃに軸支されたままであり、景品の落下に伴って第２物品展示具３０Ｆを構成する部品が一緒に落下して紛失等する不都合も防止することが可能である。
【０１８６】
なお、第２物品展示具３０Ｆの長尺部材１５３ａには、ボールチェーンや外周からの締付力により縮径可能な紐状の部材の他、可撓性を有する長尺紐状の任意の部材を使用することができる。
【０１８７】
以上、例示的な実施形態に基づいて本発明を説明したが、本発明は上記実施形態により限定されるものではなく、特許請求の範囲の記載内において種々の変更、改変を行うことが可能である。
【０１８８】
例えば、上記種々の実施形態及び変形形態において相互に対応する部品又は要素は、動作に支障を来さない範囲で交互に交換することが可能である。例えば、第２物品展示具３０Ｄ〜３０Ｆにおける係止部材１３２、１４２、１５２に代えて第２物品展示具３０、３０Ａ〜３０ｃにおける係止部材３２、１１２を使用することも可能である。
【０１８９】
また、上記実施形態では、棚部材４と第２物品展示具３０、３０Ａ〜Ｆが別部材であり、第２物品展示具３０、３０Ａ〜Ｆが棚部材４又は取付壁５に取付可能とされた場合を例として説明したが、棚部材４と第２物品展示具３０、３０Ａ〜Ｆを一体に構成することも可能である。
【０１９０】
その他、上記実施形態における物品取得ゲーム機１や棚部材４、物品展示具２０、２０Ａ、３０、３０Ａ〜３０Ｆ等の形状、寸法、材質、物品取得ゲーム機１或いはその構成部材の動作態様などは単なる例として記載したものであり、これらは特許請求の範囲の記載内において任意に変更することが可能である。
【符号の説明】
【０１９１】
１・・・物品取得ゲーム機、２・・・ゲーム機本体部、３・・・景品室、４・・・棚部材、４１・・・第１装着部、４２・・・第２装着部、４３・・・係合片、５・・・取付壁、６・・・係止解除部材、７・・・景品落下口、８・・・照明装置、９・・・操作パネル、１０・・・硬貨投入口、１１・・・景品払出口、１２・・・スピーカ、１３・・・収容扉、２０、２０Ａ・・・第１物品展示具、２１、２１Ａ・・・係止部材、２１ａ、２１ｂ・・・挟持片、２１６・・・傾斜保持部材、Ｈ１・・・係止孔、２１ｃ・・・付勢部材、２２、２２Ａ、２２Ｂ・・・フック部材、２２ａ・・・本体壁部、２２ｂ・・・フック部、２２ｃ・・・ターゲット部材、２２ｄ・・・ボールチェーン、２２ｇ・・・台座、２３、２３Ａ・・・連索部材、３０、３０Ａ〜３０Ｆ・・・第２物品展示具、３１・・・本体部、３２・・・係止部材、３３・・・駆動部材、３３ａ・・・長尺部材、３３ｂ・・・ターゲット部材、３３ｃ・・・トリガ部材、３４・・・懸吊部材、３５・・・懸吊体、３６・・・懸吊解除部材
【図１】
2010187713.tif 000003
【図２】
2010187713.tif 000004
【図３】
2010187713.tif 000005
【図４】
2010187713.tif 000006
【図５】
2010187713.tif 000007
【図６】
2010187713.tif 000008
【図７】
2010187713.tif 000009
【図８】
2010187713.tif 000010
【図９】
2010187713.tif 000011
【図１０】
2010187713.tif 000012
【図１１】
2010187713.tif 000013
【図１２】
2010187713.tif 000014
【図１３】
2010187713.tif 000015
【図１４】
2010187713.tif 000016
【図１５】
2010187713.tif 000017
【図１６】
2010187713.tif 000018
【図１７】
2010187713.tif 000019
【図１８】
2010187713.tif 000020
【図１９】
2010187713.tif 000021
【図２０】
2010187713.tif 000022